(57)【要約】      （修正有）【課題】衣服に取り付けるポケットであって、スマートフォンなどの通信端末を専用に収納するための補助収納部を有するポケットを提供する。【解決手段】主収容部１と、該主収容部の内側に主収容部より小さい補助収納部２と、主収容部と補助収容部の開口部２Ａを覆う蓋３とを有して、蓋の一部に、蓋を被せた状態で被収納品５０を補助収納部へ投入できるスリット３ｂを形成したポケットＡであって、補助収納部の開口部に、補助収納部の内側に膨らみ、被収納品の上端を抑える逆止部２ｘを設けた。【選択図】図２
0003231707.tif 000002
【実用新案登録請求の範囲】
【請求項１】
蓋を有する衣服のポケットであって、主収容部と、該主収容部の内側に前記主収容部より小さい補助収納部と、前記主収容部と前記補助収容部の開口部を覆う蓋とを有して、前記蓋の一部に、前記蓋を被せた状態で被収納品を前記補助収納部へ投入できるスリットを形成したポケットであって、前記補助収納部の開口部に、前記補助収納部の内側に膨らみ、前記被収納品の上端を抑える逆止部を設けたことを特徴とするポケット。
【請求項２】
請求項１記載のポケットであって、前記逆止部は、前記補助収納部を構成する布片の上端を前記補助収納部の内側に折り返し、両端部のみを折り返し状態で固定した折り返し部であることを特徴とするポケット。
【請求項３】
請求項２記載のポケットであって、前記折り返し部は２回折り返すことによって構成される、断面三つ巻形状を有することを特徴とするポケット。
【請求項４】
請求項１記載のポケットであって、前記逆止部は、前記補助収納部の開口部に設けられる、下方に開くフラップ片であることを特徴とするポケット。
【請求項５】
請求項４記載のポケットであって、前記フラップ片は布片を二つ折りにして、二重の厚みを持たせ、折り目を前記フラップ片の下端として上端を前記衣服の生地に縫い付けたものであることを特徴とするポケット。
【請求項６】
請求項１乃至５のいずれか記載のポケットであって、前記補助収納部の上端は前記主収納部の上端より上に位置し、前記蓋を開いた際に前記補助収納部の上部が前記主収納部の開口部上に露出することを特徴とするポケット。
【考案の詳細な説明】
【技術分野】
【０００１】
本考案は、上衣やズボンなどの衣服に取り付けるポケットであって、特にスマートフォンなどの通信端末を専用に収納するための補助収納部を有するポケットに関する。
【背景技術】
【０００２】
野外の作業現場において、連絡や記録のためスマートフォンをはじめとする各種通信端末を日常的に使用するようになっており、上衣やズボンなど作業着のポケットにそれらを収納する機会が増えている。通常型のポケットでは、ポケットより小型の通信端末を収納した場合には、中で深く沈んだり、また、ポケットの中で傾いたりしてしまい、円滑な出し入れができない。このため、ポケットの中に、さらに小さい補助収納部を設けて、この部分にこれら通信端末を専用に収納する構造が知られている。
【０００３】
特に、蓋付ポケットの場合は、通信端末の出し入れには蓋の開け閉めを行う必要があり、通信端末の出し入れが煩雑な作業となるため、これを解決する構造として、以下の文献に記載される構造が提案されている。
【先行技術文献】
【特許文献】
【０００４】
【特許文献１】実用新案登録第3072800号
【特許文献２】特許公開2014-201840号
【０００５】
上記特許文献１のポケットは、ポケットの蓋の縫い合わせ部にスリットを形成して、蓋を開けずに携帯電話をポケット内の補助収納部に投入できる構造が開示されている。しかし、かかる構造では、衣服装着者がかがみ込むなどして、姿勢を変えた場合、携帯電話がスリットを通してポケットから外に脱落することが考えられる。
【０００６】
蓋付ポケットの構造とは異なるが、上記特許文献２には、ポケットの開口部に収納部内面に段部を設け、携帯電話の下部を補助ポケットに差し込むことにより傾けて収納し、携帯電話の上端をこの段差で抑えることにより形態電話の脱落を防止する構造が開示されている。
【０００７】
しかしながら、補助ポケットは、衣服の内側に形成される切りポケットであり、縫製に余分な工程が必要とされる。また、段差は被服の厚みのみによって形成されるために、携帯電話が補助ポケットにより傾いて収納されなければ脱落防止の段差として機能しない。
【考案の概要】
【考案が解決しようとする課題】
【０００８】
そこで、本考案の目的は、補助収納部に携帯電話など被収納物を挿入するスリットを有する蓋付ポケットにおいて、簡単な構造で、被収納物の脱落防止ができるポケットを提供することにある。
【課題を解決するための手段】
【０００９】
上記目的を達成するため、本考案のポケットは、主収容部と、該主収容部の内側に前記主収容部より小さい補助収納部と、前記主収容部と前記補助収容部の開口部を覆う蓋とを有して、前記蓋の一部に、前記蓋を被せた状態で被収納品を前記補助収納部へ投入できるスリットを形成したポケットであって、前記補助収納部の開口部に、前記補助収納部の内側に膨らみ、前記被収納品の上端を抑える逆止部を設けたことを特徴とする。
【考案の効果】
【００１０】
本考案の蓋付ポケットによれば、補助収納部の開口部に膨らみ、補助収納部に収納されるスマートフォンなどの被収納品の上端を抑える逆止部により、該被収納品のスリットからの脱落を防止することができる。
【図面の簡単な説明】
【００１１】
【図１】本考案の第一実施形態に係る蓋付ポケットの平面図。
【図２】(ａ)は同ポケットの断面図であり、(ｂ)は同ポケットの補助収納部開口部近傍の斜視拡大断面図。
【図３】本考案の第二実施形態に係る蓋付ポケットの断面図。
【図４】本考案の第三実施形態の係る蓋付ポケットの補助収納部開口部近傍の斜視拡大断面図。
【考案を実施するための形態】
【００１２】
本考案の第一実施形態を、図１及び図２を用いて説明する。図１によって、同実施形態の、補助収納部を有するポケットの全体構造を説明し、図２(ａ)及び(ｂ)によって、同補助収納部の逆止構造を説明する。
【００１３】
図１に示すように、本考案のポケットＡは、例えばズボンの側面に取り付けられるサイドポケットであって、主収納部１とその内側に設ける補助収納部２と両者の開口部を覆う蓋３とから構成されている。
【００１４】
主収納部１は、布地１ａをその輪郭１ｂに沿って、ステッチ１ｄにより衣服の服地20の表面に縫い付けることで構成され、高さ22.0cm、幅18.5cmの外形を有する。布地１ａは中央縦方向に２つのマチ１ｃを形成し、中に被収納部を入れた際に主収納部１が立体的に膨らむようになっている。
【００１５】
補助収納部２は、布地１ａの内側に、他の布地２aを同様に輪郭２ｂに沿って、ステッチ２ｄにより服地20に縫い付けることで構成される、高さ16.0cm、幅10.6cmの外形を有する。補助収納部２のサイズは、スマートフォンなど通信端末50を完全に収納できるように決定され、さらに、後述するように同通信端末を収納したうえで、通信端末50の上端が開口部２Ａの折り返し部２ｘより下側に位置するように決定される。
【００１６】
また、上述したように補助収納部２は、主収納部１より小さい外形を有するが、その開口部２Ａ近傍の上部は、主収納部１の開口部１Ａの上端より高い位置に配置され、補助収納部２の上部が主収納部１の開口部１Ａの上方に露出する。そして、補助収納部２の開口部２Ａは後述する蓋３のスリット３ｂに近接する。
【００１７】
また、後述する蓋３を開くことにより、開口部２Ａ近傍の上部は露出する。このため、使用者が蓋３を開いてポケットに被収容物を投入しようとすると、被収納物が主収納部１の上方に露出する補助収納部２の上部外側に当たり、主収納部１との間隔を開くため、被収納物を確実に主収納部１に収納することができる。
【００１８】
蓋３は、上端左右が服地20の表面に縫い付けられて、ヒンジ部３ａとなる。このヒンジ部３ａ、３ａの間は、スリット３ｂが形成される。このスリット３ｂは、補助収納部２の幅とほぼ同一の長さを有し、蓋３を閉めていても、このスリット３ｂを通して、補助収納部２に通信端末50を挿入できる構造となっている。なお、蓋３の裏面には、面ファスナー４ａが取り付けられており、主収納部１の第１布地１ａの表面に取り付けられた面ファスナー４ｂとともに蓋止め部４を形成して、蓋３が簡単には開かない構造となっている。
【００１９】
図２(ａ)に、ポケットＡの断面図を示すが、上述したように、主収納部１の第１布地１ａの内側に補助収納部２の第２布地２aが取り付けられ、さらに蓋３がこれら主収納部１及び補助収納部２のそれぞれの開口部１Ａ、２Ａを覆うように取り付けられている。
【００２０】
そして、蓋３の上端、蓋３を開閉するヒンジ部３ａの位置であって、補助収納部２の開口部２Ａと連続する位置にスリット３ｂが形成される。このため、スリット３ｂを通して挿入されるスマートフォンなどの通信端末50は、その近傍に開口部２Ａを有する補助収納部２に確実に収納されることとなる。
【００２１】
補助収納部２を構成する第２布地２ａの上端は、内側に1.0cmの幅をもって2回折り畳まれて、三ツ巻構造と呼ばれる折り返し部２ｘとなっている。すなわち、この折り返し部２ｘは、第１折り込み代２ｘ１、第２折り込み代２ｘ２、そして第２布地２ａ本体と、布が三重となる構造を有している。
【００２２】
そして、この折り返し部２ｘは、折り返した両端２ｙが、第２生地２ａにステッチ２ｄにより布地２ａに縫い付けられて固定されている。このため、折り返し部２ｘの両端は潰れ、かつ折り込み代２ｘ１、２ｘ２が開くことはないが、それ以外の部分はそれぞれが互いに固定されておらず、フリーとなっているため、折り込み代２ｘ１、２ｘ２の復元力により三重になった布は密着せず、補助収納部２の開口部２Ａの内側に膨らみ、張り出すこととなる。なお、折り返し部２ｘは補助収納部２の内側に張り出す構造であればよいため、折り込み代２ｘ１、２ｘ２同士は縫合してもよい。
【００２３】
図２(ｂ)にこの状態における、補助収納部２の開口部２Ａ近傍の部分的な断面斜視図を示す。補助収納部２に通信端末50を投入すると、内側に膨らんだ開口部２Ａの折り返し部２ｘが通信端末50の上端50ａに覆い被さる。このため、装着者が姿勢を変化させて通信端末50が開口部２Ａから外へ出そうになっても、この折り返し部２ｘの下端２ｘ３が通信端末50の上端50ａを抑える逆止部となって、通信端末50が開口部２Ａから脱落することを防止する。
【００２４】
なお、通信端末を取り出す際は、スリット３ｂから、または蓋３を開いて直接、補助収納部２に指を入れることで、折り返し部２ｘが押し潰され、通信端末50の上端50ａの覆い被さりが解除されるので、円滑に通信端末50を取り出すことができる。
【００２５】
以上説明したように、本考案の実施態様によれば、補助収納部２を構成する布地２ａの上端に折り返し部２ｘを形成することで、これを逆止部とすることができ、収納した通信端末50の落下を確実に防止することができる。
【００２６】
（その他の実施形態）
図３を用いて、本件考案の第二実施形態を説明する。第一実施形態と同様の構成については、同じ符号を付して説明を省略する。
【００２７】
同図は、第二実施形態のポケットＢの断面図を示す。同図に示すように、本実施形態では、第一実施形態で設けた補助収納部２の開口部２Ａに形成した折り返し部の代わりに、逆止部としてのフラップ片５を設けるものである。
【００２８】
フラップ片５は、二重に織り込んだ短冊状の布片５ａを、その折り目を下端として、フラップ片５の上端を服地20に縫い付けたものである。
【００２９】
フラップ片５は上端を服地20に縫い付けても、二重の厚みのため下端が浮き上がり、補助収納部２の内側に張り出す。このため、補助収納部２内に通信端末50を挿入した場合、その上端50ａをフラップ片５が覆い、その脱落を防止することができる。
【００３０】
なお、このフラップ片５の取付け位置は、多様な位置を選択することができる。例えば、蓋３の裏面に設けてもよく、また、補助収納部２の布片２ａの裏側(補助収納部２の内側)に設けることもできる。
【００３１】
図４を用いて、本考案の第三実施形態を説明する。第一実施形態と同様の構成については、同じ符号を付して説明を省略する。
【００３２】
同図に示すように、本実施形態のポケットＣは、補助収納部２の折り返し部２ｘを、第一実施形態の三ツ巻構造に代えて単純に折り返した二重折構造としたものである。すなわち、この折り返し部２ｘは、第１折り込み代２ｘ４と布地２ａ本体とにより布が二重になった構造となっている。折り返し部２ｘの両側２ｙは、折り返されて二重布になった状態でステッチ２ｄにより服地20に縫い付けられている。
【００３３】
このため、折り返し部２ｘの両端以外は、第１折り込み代２ｘ４は布地２ａに固定されておらず、補助収納部２の開口部２Ａ内側に張り出す。このため、補助収納部２に通信端末50を投入すると、内側に膨らんだ開口部２Ａの折り返し部２ｘの下端２ｘ５が通信端末50の上端50ａに覆い被さり、通信端末50の補助収納部２からの落下を防止する。なお、折り返し部２ｘの下端２ｘ５は、解れ防止のためにステッチ処理して補強することができる。
【００３４】
補助収納部２の被収納品の落下を防止するための逆止部は、上述の実施形態に限られない。例えば、補助収納部２の開口部２Ａ内側に膨らんで張り出す、金属羽根や摩擦係数の高いラバープレートや、また、服地20自体をプリーツ状に縫製してフラップ片を構成する等、被収納品50の上端に被さり、被収納物50がスリット３へ移動することを阻止する多様な構造を選択することができる。
【００３５】
また、上記第一実施形態乃至第三実施形態のポケットＡ乃至Ｃは、いずれも衣服の服地20外側に直接布地を縫い付けてポケットＡ乃至Ｃを構成したが、ポケットの裏地を有し、独立したポケットとして、これを衣服に取り付ける構造であってもよい。
【００３６】
さらに、主収納部１及び補助収納部２のサイズや形状、および蓋３のスリット３ｂの長さは、収納を目的とする被収納物の大きさによって自由に選択することができる。
【符号の説明】
【００３７】
Ａ、Ｂ、Ｃ  ポケット
１  主収容部
１Ａ  (主収納部の)開口部
２  補助収容部
２Ａ  (補助収納部の)開口部
２ａ  (補助収納部の)布地
２ｄ  ステッチ（縫合線）
２ｘ  折り返し部(逆止部)
２ｘ１  第１折り返し代(三ツ巻構造)
２ｘ２  第２折り返し代(三ツ巻構造)
３  蓋
３ｂ  スリット
５  フラップ片(逆止部)
20  衣服
50  通信端末(被収納品)
【図１】
0003231707.tif 000003
【図２】
0003231707.tif 000004
【図３】
0003231707.tif 000005
【図４】
0003231707.tif 000006